(57)【特許請求の範囲】
【請求項１】
記録媒体に記録された複数の楽曲データを再生するデータ再生装置を用いて楽曲を聴いている使用者に、該使用者が使用する携帯電話機が電子メールを受信したことを通知するメール受信通知システムであって、
前記携帯電話機に接続され、該携帯電話機が電子メールを受信したことを示すメール受信信号を無線で送信する送信手段と、
前記データ再生装置に接続され、前記送信手段からのメール受信信号を受信して出力する受信手段と、
前記データ再生装置に接続され、前記受信手段から出力される前記メール受信信号に応答して、前記データ再生装置が再生する楽曲データと楽曲データとの区切りを検出する検出手段と、
前記データ再生装置に接続され、前記検出手段が楽曲データの区切りを検出するタイミングで、前記データ再生装置の再生動作を停止させる再生停止手段と、
前記データ再生装置に接続され、前記再生停止手段が前記データ再生装置の再生動作を停止させた後、前記使用者に前記携帯電話機が電子メールを受信したことを通知する通知手段と、
から構成されることを特徴とするメール受信通知システム。
【請求項２】
前記通知手段が前記使用者に前記携帯電話機が電子メールを受信したことを通知してから所定時間が経過した後、前記データ再生装置の再生動作を再開させる再生再開手段をさらに備える、ことを特徴とする請求項１に記載のメール受信通知システム。
【請求項３】
記録媒体に記録された複数の楽曲データを再生するデータ再生装置を用いて楽曲を聴いている使用者に、該使用者が使用する携帯電話機が電子メールを受信したことを通知するメール受信通知システムであって、
携帯電話機が電子メールを受信した際、前記データ再生装置が再生する楽曲データと楽曲データとの区切りを検出する検出手段と、
前記検出手段が楽曲データの区切りを検出するタイミングで、前記データ再生装置の再生動作を停止させる再生停止手段と、
前記再生停止手段が前記データ再生装置の再生動作を停止させた後、前記使用者に前記携帯電話機が電子メールを受信したことを通知する通知手段と、
前記通知手段が前記使用者に前記携帯電話機が電子メールを受信したことを通知してから所定時間が経過した後、前記データ再生装置の再生動作を再開させる再生再開手段と、
を備えることを特徴とするメール受信通知システム。
【請求項４】
前記通知手段は、音声及び文字の少なくとも一方を用いて、前記携帯電話機が電子メールを受信したことを通知する、ことを特徴とする請求項１乃至３の何れか１項に記載のメール受信通知システム。
【請求項５】
記録媒体に記録された複数の楽曲データを再生するデータ再生装置を用いて楽曲を聴いている使用者に、該使用者が使用する携帯電話機が電子メールを受信したことを通知するメール受信通知方法であって、
前記携帯電話機が電子メールを受信したことを示すメール受信信号を、該携帯電話機に接続された送信機が無線で送信する送信工程と、
前記データ再生装置に接続されたコントローラが、前記送信機からのメール受信信号を受信する受信工程と、
前記受信工程において前記コントローラが前記送信機から供給される前記メール受信信号を受信することにより、当該コントローラが、前記データ再生装置が再生する楽曲データと楽曲データとの区切りを検出する検出工程と、
前記コントローラが、前記検出工程で楽曲データの区切りを検出するタイミングで、前記データ再生装置の再生動作を停止させる再生停止工程と、
前記コントローラが、前記再生停止工程で前記データ再生装置の再生動作を停止させた後、前記使用者に前記携帯電話機が電子メールを受信したことを通知する通知工程と、
を備えることを特徴とするメール受信通知方法。
【請求項６】
前記通知工程で前記使用者に前記携帯電話機が電子メールを受信したことを通知してから所定時間が経過した後、前記データ再生装置の再生動作を再開させる再生再開工程をさらに備える、ことを特徴とする請求項５に記載のメール受信通知方法。
【請求項７】
記録媒体に記録された複数の楽曲データを再生するデータ再生装置を用いて楽曲を聴いている使用者に、該使用者が使用する携帯電話機が電子メールを受信したことを通知するメール受信通知方法であって、
携帯電話機が電子メールを受信した際、前記データ再生装置が再生する楽曲データと楽曲データとの区切りを検出する検出工程と、
前記検出工程で楽曲データの区切りを検出するタイミングで、前記データ再生装置の再生動作を停止させる再生停止工程と、
前記再生停止工程で前記データ再生装置の再生動作を停止させた後、前記使用者に前記携帯電話機が電子メールを受信したことを通知する通知工程と、
前記通知手段が前記使用者に前記携帯電話機が電子メールを受信したことを通知してから所定時間が経過した後、前記データ再生装置の再生動作を再開させる再生再開工程と、
を備えることを特徴とするメール受信通知方法。
【請求項８】
前記通知工程は、音声及び文字の少なくとも一方を用いて、前記携帯電話機が電子メールを受信したことを通知する工程を備える、ことを特徴とする請求項５乃至７の何れか１項に記載のメール受信通知方法。
【発明の詳細な説明】
【０００１】
【発明の属する技術分野】
本発明は、メール受信通知システム、及び、メール受信通知方法に関する。
【０００２】
【従来の技術】
携帯電話機の使用者に着呼を通知する方法には、例えば以下に示すような方法がある。
（１）携帯電話機が着信音を発する。
（２）携帯電話機が本体に設けられた液晶パネル等の表示装置に所定のマークや文字列等を表示する。
（３）携帯電話機本体が振動する。
（４）携帯電話機の所定部位が発光する。
【０００３】
以上に示した様々な通知方法を用いても、携帯電話機が鞄等に収納され、使用者がポータブルプレーヤ等により音楽を聴いている場合には、使用者が着信の通知に気づかない場合がある。
【０００４】
特許第２９５４１５０号公報に開示されている技術は、携帯電話機への着呼を使用者に確実に通知するために、着呼時に、使用者が使用しているヘッドフォンに供給される信号を自動的に切り替えている。具体的には、着呼待ちの状態では、ポータブルプレーヤからの再生音声信号をヘッドフォンに供給し、着呼時には、携帯電話機からの着信通知信号をヘッドフォンに供給する。これにより、携帯電話機の使用者は、ポータブルプレーヤで音楽を聴いていても、着呼時にはヘッドフォンにより着信音を聞くことができる。
【０００５】
【発明が解決しようとする課題】
近年、電子メールを受信することができる携帯電話機が普及しつつある。
電子メールを受信した際、携帯電話機は、上記通知方法と同様の方法により、電子メールの受信を使用者に通知する。このため、携帯電話機が鞄等に収納され、使用者がポータブルプレーヤ等により音楽を聴いている場合には、上記着呼通知の場合と同様に、使用者が電子メールの受信通知に気づかない場合がある。
【０００６】
特許第２９５４１５０号公報に開示されている技術は、携帯電話機への着呼を使用者に通知するだけであり、携帯電話機が電子メールを受信したことを使用者に通知することはできない。
【０００７】
また、特許第２９５４１５０号公報に開示されている技術と同様にして、携帯電話機が電子メールを受信した際に、電子メールの受信通知が自動的に使用者に通知されるようにすると、曲の途中でも受信通知が使用者に通知される。言い換えると、携帯電話機が電子メールを受信するたびに曲が途中で途切れてしまい、音楽を楽しめないという問題がある。
従って、本発明は、曲を途中で中断することなくメールの着信を通知することができるメール受信通知システム、及び、メール受信通知方法を提供することを目的とする。
【０００８】
【課題を解決するための手段】
上記目的を達成するために、本発明の第１の観点にかかるメール受信通知システムは、
記録媒体に記録された複数の楽曲データを再生するデータ再生装置を用いて楽曲を聴いている使用者に、該使用者が使用する携帯電話機が電子メールを受信したことを通知するメール受信通知システムであって、
前記携帯電話機に接続され、該携帯電話機が電子メールを受信したことを示すメール受信信号を無線で送信する送信手段と、
前記データ再生装置に接続され、前記送信手段からのメール受信信号を受信して出力する受信手段と、
前記データ再生装置に接続され、前記受信手段から出力される前記メール受信信号に応答して、前記データ再生装置が再生する楽曲データと楽曲データとの区切りを検出する検出手段と、
前記データ再生装置に接続され、前記検出手段が楽曲データの区切りを検出するタイミングで、前記データ再生装置の再生動作を停止させる再生停止手段と、
前記データ再生装置に接続され、前記再生停止手段が前記データ再生装置の再生動作を停止させた後、前記使用者に前記携帯電話機が電子メールを受信したことを通知する通知手段と、
から構成されることを特徴とする。
この発明によれば、楽曲を途中で中断することなくメールの着信を通知することができる。
【００１０】
前記通知手段が前記使用者に前記携帯電話機が電子メールを受信したことを通知してから所定時間が経過した後、前記データ再生装置の再生動作を再開させる再生再開手段をさらに備えてもよい。
また、本発明の第２の観点にかかるメール受信通知システムは、
記録媒体に記録された複数の楽曲データを再生するデータ再生装置を用いて楽曲を聴いている使用者に、該使用者が使用する携帯電話機が電子メールを受信したことを通知するメール受信通知システムであって、
携帯電話機が電子メールを受信した際、前記データ再生装置が再生する楽曲データと楽曲データとの区切りを検出する検出手段と、
前記検出手段が楽曲データの区切りを検出するタイミングで、前記データ再生装置の再生動作を停止させる再生停止手段と、
前記再生停止手段が前記データ再生装置の再生動作を停止させた後、前記使用者に前記携帯電話機が電子メールを受信したことを通知する通知手段と、
前記通知手段が前記使用者に前記携帯電話機が電子メールを受信したことを通知してから所定時間が経過した後、前記データ再生装置の再生動作を再開させる再生再開手段と、
を備えることを特徴とする。
【００１１】
前記通知手段は、音声及び文字の少なくとも一方を用いて、前記携帯電話機が電子メールを受信したことを通知してもよい。
【００１２】
本発明の第３の観点にかかるメール受信通知方法は、
記録媒体に記録された複数の楽曲データを再生するデータ再生装置を用いて楽曲を聴いている使用者に、該使用者が使用する携帯電話機が電子メールを受信したことを通知するメール受信通知方法であって、
前記携帯電話機が電子メールを受信したことを示すメール受信信号を、該携帯電話機に接続された送信機が無線で送信する送信工程と、
前記データ再生装置に接続されたコントローラが、前記送信機からのメール受信信号を受信する受信工程と、
前記受信工程において前記コントローラが前記送信機から供給される前記メール受信信号を受信することにより、当該コントローラが、前記データ再生装置が再生する楽曲データと楽曲データとの区切りを検出する検出工程と、
前記コントローラが、前記検出工程で楽曲データの区切りを検出するタイミングで、前記データ再生装置の再生動作を停止させる再生停止工程と、
前記コントローラが、前記再生停止工程で前記データ再生装置の再生動作を停止させた後、前記使用者に前記携帯電話機が電子メールを受信したことを通知する通知工程と、
を備えることを特徴とする。
【００１４】
前記通知工程で前記使用者に前記携帯電話機が電子メールを受信したことを通知してから所定時間が経過した後、前記データ再生装置の再生動作を再開させる再生再開工程をさらに備えてもよい。
また、本発明の第４の観点にかかるメール受信通知方法は、
記録媒体に記録された複数の楽曲データを再生するデータ再生装置を用いて楽曲を聴いている使用者に、該使用者が使用する携帯電話機が電子メールを受信したことを通知するメール受信通知方法であって、
携帯電話機が電子メールを受信した際、前記データ再生装置が再生する楽曲データと楽曲データとの区切りを検出する検出工程と、
前記検出工程で楽曲データの区切りを検出するタイミングで、前記データ再生装置の再生動作を停止させる再生停止工程と、
前記再生停止工程で前記データ再生装置の再生動作を停止させた後、前記使用者に前記携帯電話機が電子メールを受信したことを通知する通知工程と、
前記通知手段が前記使用者に前記携帯電話機が電子メールを受信したことを通知してから所定時間が経過した後、前記データ再生装置の再生動作を再開させる再生再開工程と、
を備えることを特徴とする。
【００１５】
前記通知工程は、音声及び文字の少なくとも一方を用いて、前記携帯電話機が電子メールを受信したことを通知する工程を備えてもよい。
【００１６】
【発明の実施の形態】
次に、本発明の実施の形態にかかる携帯電話システムについて図面を参照して説明する。
本発明の実施の形態にかかる携帯電話システムは、図１に示すように、携帯電話機１０と、通信装置２０と、ポータブルプレーヤ３０と、リモコン送受信装置４０と、ヘッドフォン５０と、から構成されている。
【００１７】
携帯電話機１０は、アンテナ１０ａを備え、電子メール等を送受信する機能を有する。携帯電話機１０は、アンテナ１０ａを介して受信した電子メールに所定の信号処理を施し、図示せぬメモリ等に保存する。また、携帯電話機１０は、通信線１を介して通信装置２０に接続され、電子メールを受信したことを示すメール受信信号を通信装置２０に出力する。
【００１８】
通信装置２０は、リモコン送受信装置４０と無線通信を行うためのアンテナ２０ａを備え、通信線１を介して携帯電話機１０から供給されるメール受信信号を微弱電波によりリモコン送受信装置４０に送信する。なお、通信装置２０の詳しい構成については後述する。
【００１９】
ポータブルプレーヤ３０は、通信線２を介してリモコン送受信装置４０に接続され、リモコン送受信装置４０の制御に従って動作する。具体的には、ポータブルプレーヤ３０は、ＣＤ（Compact Disc）、ＭＤ（Mini Disc ）、又は、カセットテープ等の記録媒体を収納し、記録媒体に記録されている楽曲データを再生する。そして、ポータブルプレーヤ３０は、再生した楽曲データ、及び、曲と曲との区切りを示す曲間信号をリモコン送受信装置４０に出力する。また、ポータブルプレーヤ３０は、メモリ等に予め記録された着信メッセージを再生し、リモコン送受信装置４０に出力する。なお、上記楽曲データは、楽曲のタイトルや楽曲の再生時間等を示すデータを含んでいる。また、上記着信メッセージは、携帯電話機１０が電子メールを受信したことを携帯電話システムの使用者に通知するためのメッセージである。
【００２０】
リモコン送受信装置４０は、使用者が楽曲データの再生及び停止等を操作するための操作ボタン４０ａを備え、使用者の操作に従ってポータブルプレーヤ３０の動作を制御する。また、リモコン送受信装置４０は、液晶パネル等から構成される表示パネル４０ｂを備え、再生中の楽曲データが示す楽曲のタイトルや楽曲の再生時間、及び、上記着信メッセージ等を表示する。また、リモコン送受信装置４０は、通信装置２０と無線通信を行うためのアンテナ４０ｃを備え、通信装置２０から供給されるメール受信信号を受信し、携帯電話機１０が電子メールを受信したことを使用者に通知する。なお、リモコン送受信装置４０の詳しい構成については後述する。
【００２１】
ヘッドフォン５０は、通信線３を介してリモコン送受信装置４０に接続され、リモコン送受信装置４０を介してポータブルプレーヤ３０から供給される楽曲データや着信メッセージ等を受信し、音声に変換して出力する。
【００２２】
次に、上記通信装置２０の詳しい構成について説明する。
通信装置２０は、図２（ａ）に示すように、受信部２１と、変換部２２と、送信部２３と、から構成されている。
受信部２１は、通信線１を介して携帯電話機１０に接続され、携帯電話機１０から供給されるメール受信信号を受信する。このメール受信信号の受信により、通信装置２０は、携帯電話機１０が電子メールを受信したことを検出する。
【００２３】
変換部２２は、受信部２１が受信したメール受信信号を、無線で送信できるように変換する。
送信部２３は、上記アンテナ２０ａを備え、変換部２２が変換したメール受信信号を無線でリモコン送受信装置４０に送信する。
【００２４】
次に、上記リモコン送受信装置４０の詳しい構成について説明する。
リモコン送受信装置４０は、図２（ｂ）に示すように、入力部４１と、受信部４２と、表示部４３と、入出力制御部４４と、から構成されている。
入力部４１は、上記操作ボタン４０ａを備え、使用者の操作に従って、楽曲データの再生や停止等を指示する操作信号を入出力制御部４４に出力する。
【００２５】
受信部４２は、上記アンテナ４０ｃを備え、通信装置２０から無線により供給されるメール受信信号を受信し、入出力制御部４４に出力する。
表示部４３は、上記表示パネル４０ｂを備え、入出力制御部４４の制御に従って、ポータブルプレーヤ３０が再生する楽曲データが示す楽曲のタイトルや楽曲の再生時間、及び、上記着信メッセージ等を表示する。
【００２６】
入出力制御部４４は、通信線２を介してポータブルプレーヤ３０に接続され、通信線３を介してヘッドフォン５０に接続されている。入出力制御部４４は、入力部４１から供給される操作信号、及び、受信部４２から供給されるメール受信信号に従ってポータブルプレーヤ３０の動作を制御し、楽曲データや着信メッセージ等をヘッドフォン５０に出力する。なお、入出力制御部４４の詳しい動作については後述する。
【００２７】
次に、以上のように構成された携帯電話システムの動作について説明する。
携帯電話システムの使用者は、例えば、ポータブルプレーヤ３０にＣＤ又はＭＤ等の記録媒体をセットし、ヘッドフォン５０により音楽を聴きながら、携帯電話機１０及び通信装置２０を鞄等に収納して携帯する。
携帯電話システムの使用者は、ポータブルプレーヤ３０にセットした記録媒体に記録された楽曲データを再生する際、リモコン送受信装置４０の操作ボタン４０ａを所定の手順で操作する。
【００２８】
リモコン送受信装置４０の入力部４１は、使用者の操作に従って、楽曲データの再生を指示する操作信号を入出力制御部４４に出力する。
入出力制御部４４は、入力部４１から上記操作信号を供給されると、楽曲データの再生を指示する再生信号をポータブルプレーヤ３０に出力する。
ポータブルプレーヤ３０は、入出力制御部４４から供給される再生信号に応答して所定の楽曲データを再生し、入出力制御部４４に出力する。また、ポータブルプレーヤ３０は、楽曲が変わる毎に曲と曲との区切りを示す曲間信号を入出力制御部４４に出力する。
【００２９】
入出力制御部４４は、ポータブルプレーヤ３０から供給される楽曲データをヘッドフォン５０に出力し、ヘッドフォン５０は、供給される楽曲データを音声に変換して出力する。これにより、使用者は所定の楽曲を聴くことができる。
また、入出力制御部４４は、楽曲データから楽曲のタイトルや楽曲の再生時間等を示すデータを取得し、表示部４３を制御して表示パネル４０ｂに楽曲のタイトルや再生時間等を表示させる。
【００３０】
使用者が以上のようにして楽曲を聴いている時に電子メールが携帯電話機１０に着信すると、以下に示すようにして、使用者に電子メールの着信が通知される。
始めに、携帯電話機１０は、アンテナ１０ａを介して受信した電子メールに所定の信号処理を施してメモリ等に記憶する。そして、携帯電話機１０は、電子メールを受信したことを示すメール着信信号を通信装置２０に出力する。
通信装置２０の受信部２１は、携帯電話機１０から供給されるメール着信信号を受信し、変換部２２に出力する。
【００３１】
変換部２２は、受信部２１から供給されるメール着信信号を、無線で送信できるように変換し、送信部２３に出力する。
送信部２３は、変換部２２が変換したメール着信信号を、アンテナ２０ａを介して無線によりリモコン送受信装置４０に送信する。
リモコン送受信装置４０の受信部４２は、アンテナ４０ｃを介して通信装置２０からのメール着信信号を受信し、入出力制御部４４に出力する。
【００３２】
入出力制御部４４は、受信部４２からのメール着信信号に応答して、図３に示すメール着信通知処理を行う。
始めに、入出力制御部４４は、楽曲が変わる毎にポータブルプレーヤ３０から供給される曲間信号を検出する（ステップＳ１０１）。
そして、入出力制御部４４は、上記曲間信号を検出するタイミングで、楽曲データの再生を一時停止することを指示するポーズ信号をポータブルプレーヤ３０に出力する（ステップＳ１０２）。これにより、ポータブルプレーヤ３０は、楽曲データの再生を一時中断する。
【００３３】
その後、入出力制御部４４は、着信メッセージの再生を指示するメッセージ再生信号をポータブルプレーヤ３０に出力する（ステップＳ１０３）。これにより、ポータブルプレーヤ３０は、メモリ等に予め記録された、例えば「メールが着信しました。」等の着信メッセージを再生し、リモコン送受信装置４０に出力する。
入出力制御部４４は、ポータブルプレーヤ３０から供給される着信メッセージをヘッドフォン５０に出力すると共に、表示部４３を制御して表示パネル４０ｂに着信メッセージを表示させる（ステップＳ１０４）。これにより、携帯電話システムの使用者は、楽曲が途中で中断されることなく、音声及び文字により電子メールの着信を知ることができる。
【００３４】
そして、入出力制御部４４は、ステップＳ１０４の処理を終了してから所定時間が経過した後、楽曲データの再生を再開することを指示するポーズ解除信号をポータブルプレーヤ３０に出力し（ステップＳ１０５）、メール着信通知処理を終了する。これにより、ポータブルプレーヤ３０は、楽曲データの再生を再開する。また、着信メッセージを通知された使用者は、楽曲を聴きながら携帯電話機１０を操作し、電子メールを確認することができる。
【００３５】
以上のようにして、電子メールが携帯電話機１０に着信した際、リモコン送受信装置４０が曲と曲との間に着信メッセージを使用者に提示するため、楽曲を途切ることなく、電子メールが着信したことを使用者に通知することができる。このため、携帯電話システムの使用者は、音楽を楽しみながら、電子メールの確認を確実に行うことができる。
【００３６】
なお、上記リモコン送受信装置４０は、ヘッドフォン５０の一部として備えられてもよい。具体的には、リモコン送受信装置４０は、ヘッドフォン５０をポータブルプレーヤ３０に接続するコードの途中に予め備えられていてもよい。
また、上記リモコン送受信装置４０は、取り外しできるように構成されてもよい。具体的には、リモコン送受信装置４０は、ヘッドフォン５０のコード（通信線３）を差し込むためのジャックと、リモコン送受信装置４０とポータブルプレーヤ３０とを接続するためのコード（通信線２）を差し込むためのジャックとを備えてもよい。
また、上記リモコン送受信装置４０は、ポータブルプレーヤ３０内に組み込まれ、ポータブルプレーヤ３０の一部として構成されてもよい。
また、ヘッドフォン５０の代わりにスピーカにより上記携帯電話システムを構成してもよい。
さらに、楽曲データを再生するデータ再生装置は、上記ポータブルプレーヤ３０に限定されず、一般のオーディオ機器とすることができる。例えば、データ再生装置が車載用オーディオ再生装置である場合、携帯電話システムは、ヘッドフォン５０の代わりにスピーカを備える。また、リモコン送受信装置４０は、車載用オーディオ再生装置とは別々に構成されてもよく、車載用オーディオ再生装置内に組み込まれて車載用オーディオ再生装置の一部として構成されてもよい。このようにしても、電子メールが携帯電話機１０に着信した際、リモコン送受信装置４０が曲と曲との間に着信メッセージを使用者に提示するため、携帯電話システムの使用者は、音楽を楽しみながら、電子メールの確認を確実に行うことができる。
【００３７】
また、携帯電話機１０が通信装置２０に出力するメール受信信号は、電子メールの受信を示すことができれば何でもよい。例えば、電子メールの着信を通知する着信音、発光、又は、振動のデータや、アンテナ１０ａに印加される電圧をメール受信信号として用いてもよい。
また、ポータブルプレーヤ３０が着信メッセージを再生しなくてもよい。具体的には、リモコン送受信装置４０が、予め着信メッセージを記録したメモリ等を備え、上記メール着信通知処理のステップＳ１０３で着信メッセージを再生してもよい。このようにすると、ポータブルプレーヤ３０が備える機能に関わらず、本発明のシステムを実現することができる。
【００３８】
【発明の効果】
以上の説明から明らかなように、本発明によって、曲を途中で中断することなくメールの着信を通知することができる。
【図面の簡単な説明】
【図１】本発明の実施の形態にかかる携帯電話システムの構成図である。
【図２】（ａ）は、図１に示した携帯電話システムを構成する通信装置の構成図である。（ｂ）は、図１に示した携帯電話システムを構成するリモコン送受信装置の構成図である。
【図３】リモコン送受信装置が行うメール着信通知処理を示すフローチャートである。
【符号の説明】
１      通信線
２      通信線
３      通信線
１０    携帯電話機
１０ａ  アンテナ
２０    通信装置
２０ａ  アンテナ
２１    受信部
２２    変換部
２３    送信部
３０    ポータブルプレーヤ
４０    リモコン送受信装置
４０ａ  操作ボタン
４０ｂ  表示パネル
４０ｃ  アンテナ
４１    入力部
４２    受信部
４３    表示部
４４    入出力制御部
５０    ヘッドフォン
【図１】
0003661085.tif 000002
【図２】
0003661085.tif 000003
【図３】
0003661085.tif 000004